(57)【要約】【課題】円筒形の照明用ポールと角筒形の照明用ポールのいずれにも取付け可能とする。【解決手段】取付部材４は、本体４０の内部に設けられ、第１の照明用ポールの柱頭部に下から支持される第１支持部４１と、本体４０の内部に設けられ、第２の照明用ポールの柱頭部に下から支持される第２支持部４２とを有する。第１支持部４１は、互いに径直径の異なる複数種類の第１の照明用ポールの各々に択一的に支持されるように構成される。第２支持部４２は、互いに幅の異なる複数種類の第２の照明用ポールの各々に択一的に支持されるように構成される。第２支持部４２は、本体４０の内壁に設けられて第２の照明用ポールの角部がはまる凹部４３を有する。【選択図】        図４
2019192505.tif 000002
【特許請求の範囲】
【請求項１】
柱頭部の形状が円筒形であり、かつ前記柱頭部の径が互いに異なる複数種類の第１の照明用ポール及び柱頭部の形状が角筒形であり、かつ前記柱頭部の幅が互いに異なる複数種類の第２の照明用ポールを含む複数の照明用ポールのいずれにも取付け可能な照明器具であって、
光源と、
前記光源を支持する器具本体と、
前記器具本体を前記複数の照明用ポールのいずれかに取り付けるための取付部材と
を備え、
前記取付部材は、
下端に開口部を有する筒形に形成されて前記第１の照明用ポールの柱頭部及び前記第２の照明用ポールの柱頭部を択一的に前記開口部を通して内部に収容する本体と、
前記本体の内部に設けられ、前記第１の照明用ポールの柱頭部に下から支持される第１支持部と、
前記本体の内部に設けられ、前記第２の照明用ポールの柱頭部に下から支持される第２支持部と
を有し、
前記第１支持部は、前記複数種類の第１の照明用ポールの各々に択一的に支持されるように構成され、
前記第２支持部は、前記複数種類の第２の照明用ポールの各々に択一的に支持されるように構成され、
前記第２支持部は、前記本体の内壁に設けられて前記第２の照明用ポールの角部がはまる少なくとも一つの凹部を有する、
照明器具。
【請求項２】
前記本体の内部の径は、前記開口部から上方に向かうに連れて連続的に縮小しており、
前記第１支持部及び前記第２支持部は前記本体と一体に形成されている、
請求項１記載の照明器具。
【請求項３】
前記本体の内部の径は、前記開口部から上方に向かうに連れて段階的に縮小しており、
前記第１支持部及び前記第２支持部は前記本体と一体に形成されている、
請求項１記載の照明器具。
【請求項４】
前記第２支持部は、前記凹部を複数有し、
複数の前記凹部のそれぞれに前記第２の照明用ポールの複数の角部が一つずつはまる、
請求項１〜３のいずれか一項に記載の照明器具。
【請求項５】
前記開口部から見た前記凹部の開き角が前記角部の角度よりも大きい、
請求項１〜４のいずれか一項に記載の照明器具。
【請求項６】
前記開口部から見た前記本体の内部の形状がだ円形である、
請求項１〜５のいずれか一項に記載の照明器具。
【発明の詳細な説明】
【技術分野】
【０００１】
本発明は、照明器具に関し、より詳細には、照明用ポールに取り付けられる照明器具に関する。
【背景技術】
【０００２】
従来例として特許文献１記載の照明器具を例示する。特許文献１記載の照明器具（以下、従来例と略す。）は、複数の光源モジュールと、これらの光源モジュールを支持する器具本体とを備える。器具本体は、複数の光源モジュールを収納する筐体と、照明用ポールの被取付部（柱頭部）を収容する取付部材とを備える。
【０００３】
ここで、照明用ポールには直径の異なる複数種類の照明用ポールが存在する。従来例の取付部材は、直径の異なる複数種類の照明用ポールのいずれにも取付け可能に構成されている。すなわち、取付部材の内周面に第１取付部、第２取付部及び第３取付部が設けられている。第１取付部は、最も直径の大きい照明用ポール（第１ポール）を収容する。第２取付部は、最も直径の小さい照明用ポール（第２ポール）を収容する。第３取付部は、第１ポールの直径よりも小さくかつ第２ポールの直径よりも大きい照明用ポールを収容する。
【０００４】
従来例は、一種類の取付部材によって直径の異なる三種類の照明用ポールに取り付けることができる。
【先行技術文献】
【特許文献】
【０００５】
【特許文献１】特開２０１７−１６２６８５号公報
【発明の概要】
【発明が解決しようとする課題】
【０００６】
ところで、照明用ポールには円筒形以外に角筒形の照明用ポールも存在する。しかしながら、上記従来例は、直径の異なる複数種類の円筒形の照明用ポール、及び幅の異なる複数種類の角筒形の照明用ポールの両方の照明用ポールに取り付けることはできなかった。
【０００７】
本発明の目的は、複数種類の円筒形の照明用ポールと複数種類の角筒形の照明用ポールのいずれにも取り付けることができる照明器具を提供することである。
【課題を解決するための手段】
【０００８】
本発明の一態様に係る照明器具は、複数の照明用ポールのいずれにも取付け可能な照明器具である。前記複数の照明用ポールは、柱頭部の形状が円筒形であり、かつ前記柱頭部の径が互いに異なる複数種類の第１の照明用ポールを含む。前記複数の照明用ポールは、柱頭部の形状が角筒形であり、かつ前記柱頭部の幅が互いに異なる複数種類の第２の照明用ポールを更に含む。前記照明器具は、光源と、前記光源を支持する器具本体と、前記器具本体を前記複数の照明用ポールのいずれかに取り付けるための取付部材とを備える。前記取付部材は、下端に開口部を有する筒形に形成されて前記第１の照明用ポールの柱頭部及び前記第２の照明用ポールの柱頭部を択一的に前記開口部を通して内部に収容する本体を有する。前記取付部材は、前記本体の内部に設けられ、前記第１の照明用ポールの柱頭部に下から支持される第１支持部と、前記本体の内部に設けられ、前記第２の照明用ポールの柱頭部に下から支持される第２支持部とを更に有する。前記第１支持部は、前記複数種類の第１の照明用ポールの各々に択一的に支持されるように構成される。前記第２支持部は、前記複数種類の第２の照明用ポールの各々に択一的に支持されるように構成される。前記第２支持部は、前記本体の内壁に設けられて前記第２の照明用ポールの角部がはまる少なくとも一つの凹部を有する。
【発明の効果】
【０００９】
本発明の照明器具は、複数種類の円筒形の照明用ポールと複数種類の角筒形の照明用ポールのいずれにも取り付けることができるという効果がある。
【図面の簡単な説明】
【００１０】
【図１】図１は、本発明の実施形態１に係る照明器具を示す側面図である。
【図２】図２は、同上の照明器具の斜視図である。
【図３】図３Ａは、第１の照明用ポールの斜視図である。図３Ｂは、第２の照明用ポールの斜視図である。
【図４】図４Ａは、同上の照明器具における取付部材の下面図である。図４Ｂは、同上の取付部材を示し、図４ＡにおけるＡ１−Ａ２断面矢視図である。
【図５】図５Ａは、本発明の実施形態２に係る照明器具における取付部材の下面図である。図５Ｂは、同上の取付部材を示し、図５ＡにおけるＢ１−Ｂ２断面矢視図である。
【図６】図６Ａは、実施形態２の照明器具の第１の変形例における取付部材の下面図である。図６Ｂは、同上の第１の変形例における取付部材の下面図である。図６Ｃは、実施形態２の照明器具の第２の変形例における取付部材の下面図である。図６Ｄは、同上の第２の変形例における取付部材の下面図である。
【図７】図７Ａは、実施形態１の照明器具の第３の変形例における取付部材の下面図である。図７Ｂは、図７ＡにおけるＣ１−Ｃ２断面矢視図である。
【図８】図８Ａは、実施形態２の照明器具の第４の変形例における取付部材の下面図である。図８Ｂは、図８ＡにおけるＤ１−Ｄ２断面矢視図である。
【発明を実施するための形態】
【００１１】
以下、図面を参照して、実施形態に係る照明器具を説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１２】
（実施形態１）
実施形態１の照明器具１は、図１及び図２に示すように、直線形の照明用ポール８の柱頭部に取り付けられる、いわゆるポールヘッド形照明器具である。ポールヘッド形照明器具は、道路、街路及びその他公共の屋外施設に使用される照明器具の一種である。
【００１３】
照明用ポール８は、図３Ａに示すように、柱頭部８０（８０Ａ）の形状が円筒形である照明用ポール８（第１の照明用ポール８Ａ）と、図３Ｂに示すように、柱頭部８０（８０Ｂ）の形状が角筒形である照明用ポール８（第２の照明用ポール８Ｂ）とを含む。また、第１の照明用ポール８Ａには柱頭部８０Ａの直径φＸが異なる複数種類の照明用ポールが含まれる。同じく、第２の照明用ポール８Ｂには柱頭部８０Ｂの幅（一辺の長さ）□Ｙが異なる複数種類の照明用ポールが含まれる。なお、第１の照明用ポール８Ａの柱頭部８０Ａ及び第２の照明用ポール８Ｂの柱頭部８０Ｂは、各々の柱頭部８０Ａ、８０Ｂ以外の部分よりもそれぞれの直径φＸ又は幅□Ｙが小さくなっている。ただし、第１の照明用ポール８Ａ及び第２の照明用ポール８Ｂは、柱頭部８０Ａ、８０Ｂを含めて全体の直径及び幅が均一であってもかまわない。
【００１４】
照明器具１は、図１及び図２に示すように、二つのＬＥＤユニット２、器具本体３、取付部材４、グローブ５を備える。ただし、以下の説明では、特に断りのない限り、図２に矢印で示す方向において照明器具１の上下、前後及び左右の各方向を規定する。
【００１５】
器具本体３は、円板状の天板３０と、天板３０の周縁から全周に渡って下向きに突き出た側壁３１とを有する。天板３０と側壁３１は、鋼板などの金属材料によって一体に形成されている。
【００１６】
グローブ５は、円盤状の底板５０と、底板５０の周縁から全周に渡って上向きに突き出た側板５１とを有する（図２参照）。底板５０と側板５１は、アクリル樹脂などの透光性を有する材料で一体に形成されている。取付部材４が通される円形の孔が底板５０の中央に貫通している。グローブ５は、側板５１を側壁３１の内側に収めるようにして器具本体３に取り付けられる（図２参照）。
【００１７】
二つのＬＥＤユニット２の各々は、ＬＥＤモジュール２０と、ＬＥＤモジュール２０を支持するホルダ２１と、ＬＥＤモジュール２０と電源装置（不図示）との電気的な接続を行うための二つのコネクタ２２と、放熱板２３とを有する。ＬＥＤモジュール２０は、基板の一表面に複数個のＬＥＤチップが実装され、かつ、それら複数個のＬＥＤチップが封止樹脂で封止された、いわゆるＣＯＢ（Chip On Board）タイプのＬＥＤモジュールである。二つのコネクタ２２のうちの一つのコネクタ２２は、ＬＥＤモジュール２０のプラス電極（アノード電極）とプラス極の電線（不図示）を電気的に接続する。また、残り一つのコネクタ２２は、ＬＥＤモジュール２０のマイナス電極（カソード電極）とマイナス極の電線（不図示）を電気的に接続する。プラス極の電線は、照明用ポール８の内部を通されて電源装置のプラス極の出力端子と電気的に接続される。マイナス極の電線は、照明用ポール８の内部を通されて電源装置のマイナス極の出力端子と電気的に接続される。ホルダ２１はＬＥＤモジュール２０と二つのコネクタ２２を支持して放熱板２３に取り付けられる。放熱板２３は、アルミ又はアルミ合金によって平板状に形成されている。二つのＬＥＤユニット２の各々は、放熱板２３が器具本体３の天板３０にねじ止めされることによって器具本体３に取り付けられる（図２参照）。
【００１８】
二つのＬＥＤユニット２の各々は、電源装置からプラス極及びマイナス極のそれぞれの電線を介して供給される直流電力によってＬＥＤモジュール２０を発光（点灯）させる。なお、電源装置は、照明用ポール８内に収容される。
【００１９】
取付部材４の上端に器具本体３の天板３０が固定されている。取付部材４は、照明用ポール８の柱頭部８０を内部に収めるようにして照明用ポール８に取り付けられる（図２参照）。
【００２０】
取付部材４について、図４Ａ及び図４Ｂを参照して更に詳しく説明する。ただし、図４Ａ及び図４Ｂにおいては、取付部材４の各部の大きさや厚さそれぞれの比は実際の寸法比を反映していない。
【００２１】
取付部材４は、例えば、アルミダイカストによって中空の円筒形状に形成された本体４０を有している。本体４０の下端に開口部４００が設けられている。また、本体４０の上端は底壁４０１で閉じられている。ただし、底壁４０１の中央には、電源装置とＬＥＤユニット２を電気的に接続するための電線が通される孔４０２が貫通している。
【００２２】
本体４０の内部には大小二つの第１支持部４１及び第２支持部４２がそれぞれ設けられている。大きい方の第１支持部４１及び大きい方の第２支持部４２は、本体４０の内部において、本体４０の内側面から内向きに突き出し、かつ、本体４０の開口部４００と平行する平たん面として構成されている。小さい方の第１支持部４１及び小さい方の第２支持部４２は、本体４０の内部において、本体４０の底壁４０１に形成されている。なお、大きい方の第１支持部４１を開口部４００から見たときの外形はおおよそ円形である。また、大きい方の第２支持部４２を開口部４００から見たときの外形はおよそ正方形である（図４Ａ参照）。一方、小さい方の第１支持部４１を開口部４００から見たときの外形はおおよそ円形である。さらに、小さい方の第２支持部４２を開口部４００から見たときの外形はおよそ正方形である。
【００２３】
さらに、大小二つの第２支持部４２の各々は、本体４０の内側面に設けられる複数（図示例では四つ）の凹部４３を有する。各凹部４３は、開口部４００から見たときの外形がＶ字状となるように形成されている（図４Ａ参照）。ただし、開口部４００から見たときの各凹部４３の開き角θ１は、第２の照明用ポール８Ｂの柱頭部８０Ｂの角部８１の角度θ２（θ２≒９０度）よりも小さくないことが好ましい（図３Ｂ及び図４Ａ参照）。
【００２４】
取付部材４の開口部４００から第１の照明用ポール８Ａの柱頭部８０Ａが挿入されると、大小二つの第１支持部４１のうちで柱頭部８０Ａの直径φＸに対応した第１支持部４１が柱頭部８０Ａの先端（上端）に載せられる。つまり、第１支持部４１は、第１の照明用ポール８Ａの柱頭部８０Ａに下から支持される。その結果、照明器具１が第１の照明用ポール８Ａの柱頭部８０Ａに取り付けられる。
【００２５】
また、取付部材４の開口部４００から第２の照明用ポール８Ｂの柱頭部８０Ｂが挿入されると、大小二つの第２支持部４２のうちで柱頭部８０Ｂの幅□Ｙに対応した第２支持部４２が柱頭部８０Ｂの先端（上端）に載せられる。つまり、第２支持部４２は、第２の照明用ポール８Ｂの柱頭部８０Ｂに下から支持される。その結果、照明器具１が第２の照明用ポール８Ｂの柱頭部８０Ｂに取り付けられる。なお、第２の照明用ポール８Ｂの柱頭部８０Ｂの四つの角部の各々は、第２支持部４２の四つの凹部４３のうちの対応する凹部４３に一つずつはまり込む。つまり、取付部材４は、第２支持部４２の複数の凹部４３によって本体４０の内側面に柱頭部８０Ｂの角部が当たることを回避している。
【００２６】
取付部材４は、ねじ止めによって柱頭部８０に対して抜け止めされることが好ましい。例えば、本体４０を貫通する一つ以上のねじ孔が取付部材４に設けられ、本体４０の外から各ねじ孔にねじ込まれるボルトの先端が柱頭部８０に押し当てられることが好ましい。
【００２７】
上述のように照明器具１の取付部材４は、第１の照明用ポール８Ａの柱頭部８０Ａに下から支持される第１支持部４１と、第２の照明用ポール８Ｂの柱頭部８０Ｂに下から支持される第２支持部４２とを有する。そして、第１支持部４１は、互いに直径φＸの異なる複数種類の第１の照明用ポール８Ａの各々に択一的に支持されるように構成される。第２支持部４２は、互いに幅□Ｙの異なる複数種類の第２の照明用ポール８Ｂの各々に択一的に支持されるように構成される。さらに、第２支持部４２は、本体４０の内壁に設けられて第２の照明用ポール８Ｂの角部がはまる凹部４３を有する。したがって、照明器具１は、円筒形の照明用ポール（第１の照明用ポール８Ａ）と角筒形の照明用ポール（第２の照明用ポール８Ｂ）のいずれにも取り付けることができる。さらに、照明器具１は、大きさ（直径φＸ及び幅□Ｙ）の異なる複数種類の照明用ポール８に取り付けることができる。
【００２８】
また、照明器具１では、本体４０の内径が、開口部４００から上方に向かうに連れて段階的（実施形態１では二段階）に縮小している。このように本体４０の内径が段階的に縮小すれば、それぞれの内径に対応した複数種類の照明用ポール８に取付部材４を取り付けることができる。ただし、本体４０の内径は三段階以上に段階的に縮小されても構わない。
【００２９】
さらに、照明器具１では、第２支持部４２の複数の凹部４３のそれぞれに第２の照明用ポール８Ｂの複数の角部が一つずつはまるため、第２支持部４２の複数の凹部４３によって本体４０の内側面に柱頭部８０Ｂの角部が当たることを回避することができる。なお、柱頭部８０Ｂの角部が本体４０の内側面に当たる場合、第２支持部４２を柱頭部８０Ｂに載せることができない可能性がある。そのため、本体４０の内側面に設けた凹部４３によって柱頭部８０Ｂの角部を逃がすことにより、第２支持部４２を確実に柱頭部８０Ｂに載せることができる。
【００３０】
なお、照明器具１において、開口部４００から見た凹部４３の開き角を柱頭部８０Ｂの角部の角度よりも大きくすれば、柱頭部８０Ｂの角部を凹部４３に確実にはめることができる。
【００３１】
（実施形態２）
実施形態２の照明器具１は取付部材４に特徴があり、取付部材４以外の構成については実施形態１の照明器具１と共通である。よって、以下では、実施形態２の照明器具１における取付部材４について説明し、取付部材４以外の構成については図示及び説明を省略する。
【００３２】
実施形態２の照明器具１における取付部材４（以下、実施形態２の取付部材４と略す。）では、図５Ａ及び図５Ｂに示すように、本体４０の内径が開口部４００から上方に向かうに連れて連続的に縮小している。つまり、本体４０の内側面（内壁面）がおおよそ円錐台面状に形成されている。そして、おおよそ円錐台面状に形成されている本体４０の内側面及び本体４０の内底面が第１支持部４１に相当する。
【００３３】
また、実施形態２の取付部材４において本体４０の内側面に四つの凹部４３が設けられている。なお、これら四つの凹部４３の側面（本体４０の内側面）も開口部４００から上方に向かうに連れて互いに近付くように傾斜している（図５Ｂ参照）。そして、本体４０の内側面に設けられた四つの凹部４３の側面及び本体４０の内底面が第２支持部４２に相当する。
【００３４】
取付部材４の開口部４００から第１の照明用ポール８Ａの柱頭部８０Ａが挿入されると、柱頭部８０Ａの先端が本体４０の内側面又は本体４０の内底面に当たる。つまり、第１支持部４１が第１の照明用ポール８Ａの柱頭部８０Ａに下から支持される。その結果、照明器具１が第１の照明用ポール８Ａの柱頭部８０Ａに取り付けられる。なお、第１支持部４１（本体４０の内側面）において柱頭部８０Ａの先端が当たる位置は柱頭部８０Ａの直径φＸに応じた位置（本体４０の内側面の内径が直径φＸ以下となる位置）である。
【００３５】
また、取付部材４の開口部４００から第２の照明用ポール８Ｂの柱頭部８０Ｂが挿入されると、柱頭部８０Ｂの四つの角部の先端が本体４０の四つの凹部４３の側面又は本体４０の内底面に当たる。つまり、第２支持部４２が第２の照明用ポール８Ｂの柱頭部８０Ｂに下から支持される。その結果、照明器具１が第２の照明用ポール８Ｂの柱頭部８０Ｂに取り付けられる。なお、第２支持部４２（各凹部４３の側面）において柱頭部８０Ｂの各角部の先端が当たる位置は柱頭部８０Ｂの幅□Ｙに応じた位置（隣り合う凹部４３の頂点の間の距離が幅□Ｙ以下となる位置）である。
【００３６】
上述のように実施形態２の取付部材４は、第１の照明用ポール８Ａの柱頭部８０Ａに下から支持される第１支持部４１と、第２の照明用ポール８Ｂの柱頭部８０Ｂに下から支持される第２支持部４２とを有する。そして、第１支持部４１は、互いに直径φＸの異なる複数種類の第１の照明用ポール８Ａの各々に択一的に支持されるように構成される。第２支持部４２は、互いに幅□Ｙの異なる複数種類の第２の照明用ポール８Ｂの各々に択一的に支持されるように構成される。さらに、第２支持部４２は、本体４０の内壁に設けられて第２の照明用ポール８Ｂの角部がはまる凹部４３を有する。したがって、実施形態２の照明器具１は、円筒形の照明用ポール（第１の照明用ポール８Ａ）と角筒形の照明用ポール（第２の照明用ポール８Ｂ）のいずれにも取り付けることができる。さらに、実施形態２の照明器具１は、大きさ（直径φＸ及び幅□Ｙ）の異なる複数種類の照明用ポール８に取り付けることができる。
【００３７】
また、実施形態２の取付部材４では、本体４０の内径が、開口部４００から上方に向かうに連れて連続的に縮小している。このように本体４０の内径が連続的に縮小すれば、本体４０の内径が段階的に縮小する実施形態１の取付部材４に比べて、実施形態２の取付部材４に取り付け可能な照明用ポール８の直径φＸ及び幅□Ｙの種類を増やすことができる。
【００３８】
（変形例）
次に、実施形態１、２の照明器具１の幾つかの変形例を説明する。ただし、以下に説明する各変形例は、取付部材４に特徴があるので、取付部材４以外の構成要素の図示並びに説明を省略する。
【００３９】
第１の変形例における取付部材４は、図６Ａ及び図６Ｂに示すように、開口部４００から見た本体４０の内側面がだ円形に形成されている。なお、第１の変形例における取付部材４では、本体４０の内側面において開口部４００から見てだ円の短軸方向に沿って対向する位置に凹部４３が一つずつ設けられている。ただし、凹部４３は一つだけでもよいし、三つ以上設けられてもよい。
【００４０】
取付部材４の開口部４００から第１の照明用ポール８Ａの柱頭部８０Ａが挿入されると、柱頭部８０Ａの先端が本体４０の内側面又は本体４０の内底面に当たる。つまり、第１支持部４１が第１の照明用ポール８Ａの柱頭部８０Ａに下から支持される。その結果、照明器具１が第１の照明用ポール８Ａの柱頭部８０Ａに取り付けられる。なお、本体４０の内側面において柱頭部８０Ａの先端が当たる位置は、柱頭部８０Ａの直径φＸに応じた位置であり、かつ、開口部４００から見ただ円の短軸方向に沿って対向する位置である。
【００４１】
また、取付部材４の開口部４００から第２の照明用ポール８Ｂの柱頭部８０Ｂが挿入されると、柱頭部８０Ｂの四つの角部の先端が本体４０の二つの凹部４３の側面と本体４０の内側面又は本体４０の内底面に当たる。つまり、第２支持部４２が第２の照明用ポール８Ｂの柱頭部８０Ｂに下から支持される。その結果、照明器具１が第２の照明用ポール８Ｂの柱頭部８０Ｂに取り付けられる。なお、各凹部４３の側面及び本体４０の内側面において柱頭部８０Ｂの各角部の先端が当たる位置は柱頭部８０Ｂの幅□Ｙに応じた位置である。
【００４２】
第２の変形例における取付部材４は、図６Ｃ及び図６Ｄに示すように、第１の変形例における取付部材４と同様に開口部４００から見た本体４０の内側面がだ円形に形成されている。ただし、第２の変形例における取付部材４では、本体４０の内側面において開口部４００から見てだ円の短軸方向に沿った片側に二つの凹部４３が設けられている。ただし、凹部４３は一つだけでもよいし、三つ以上設けられてもよい。
【００４３】
取付部材４の開口部４００から第１の照明用ポール８Ａの柱頭部８０Ａが挿入されると、柱頭部８０Ａの先端が本体４０の内側面又は本体４０の内底面に当たる。つまり、第１支持部４１が第１の照明用ポール８Ａの柱頭部８０Ａに下から支持される。その結果、照明器具１が第１の照明用ポール８Ａの柱頭部８０Ａに取り付けられる。なお、本体４０の内側面において柱頭部８０Ａの先端が当たる位置は、柱頭部８０Ａの直径φＸに応じた位置であり、かつ、開口部４００から見ただ円の短軸方向に沿って対向する位置である（図６Ｃ参照）。
【００４４】
また、取付部材４の開口部４００から第２の照明用ポール８Ｂの柱頭部８０Ｂが挿入されると、柱頭部８０Ｂの四つの角部の先端が本体４０の二つの凹部４３の側面と本体４０の内側面又は本体４０の内底面に当たる（図６Ｂ参照）。つまり、第２支持部４２が第２の照明用ポール８Ｂの柱頭部８０Ｂに下から支持される。その結果、照明器具１が第２の照明用ポール８Ｂの柱頭部８０Ｂに取り付けられる。なお、各凹部４３の側面及び本体４０の内側面において柱頭部８０Ｂの各角部の先端が当たる位置は柱頭部８０Ｂの幅□Ｙに応じた位置である。
【００４５】
上述のように第１及び第２の変形例では、開口部４００から見た本体４０の内側面の形状がだ円形であるので、本体４０の内側面の形状が円形である場合と比較して、本体４０の内側面に設けられる凹部４３の削減を図ることができる。凹部４３が削減されれば、取付部材４の本体４０の製造コストの低下を図ることができる。
【００４６】
なお、第１及び第２の変形例の取付部材４において、本体４０の内径が開口部４００から上方に向かうに連れて段階的（例えば、二段階）に縮小されてもかまわない。
【００４７】
第３の変形例の取付部材４は、図７Ａ及び図７Ｂに示すように、実施形態１における取付部材４よりも多くの凹部４３（図示例では２４個と２４個で合計４８個の凹部４３）が設けられている。つまり、第３の変形例の取付部材４は、第２の照明用ポール８Ｂの柱頭部８０Ｂに対する取付位置を１５度ずつ回転させることができる。したがって、第３の変形例の照明器具１は、第２の照明用ポール８Ｂに対する取付け向きを細かく調整することができる。
【００４８】
第４の変形例の取付部材４は、図８Ａ及び図８Ｂに示すように、実施形態２における取付部材４よりも多くの凹部４３（図示例では２４個の凹部４３）が設けられている。つまり、第４の変形例の取付部材４は、第２の照明用ポール８Ｂの柱頭部８０Ｂに対する取付位置を１５度ずつ回転させることができる。したがって、第４の変形例の照明器具１は、第２の照明用ポール８Ｂに対する取付け向きを細かく調整することができる。
【００４９】
なお、第３及び第４の変形例において、本体４０の内側面における任意の二つの凹部４３の間の部分は曲面（円筒面）に限らず、平面あるいは内側に向かって突き出た曲面であってもかまわない。
【００５０】
上述のように第１の態様に係る照明器具（１）は、複数の照明用ポール（８）のいずれにも取付け可能な照明器具である。複数の照明用ポール（８）は、柱頭部（８０Ａ）の形状が円筒形であり、かつ柱頭部（８０Ａ）の径が互いに異なる複数種類の第１の照明用ポール（８Ａ）を含む。複数の照明用ポール（８）は、柱頭部（８０Ｂ）の形状が角筒形であり、かつ柱頭部（８０Ｂ）の幅が互いに異なる複数種類の第２の照明用ポール（８Ｂ）を更に含む。第１の態様に係る照明器具（１）は、光源（ＬＥＤユニット２）と、光源を支持する器具本体（３）と、器具本体（３）を複数の照明用ポール（８）のいずれかに取り付けるための取付部材（４）とを備える。取付部材（４）は、下端に開口部（４００）を有する筒形に形成されて第１の照明用ポール（８Ａ）の柱頭部（８０Ａ）及び第２の照明用ポール（８Ｂ）の柱頭部（８０Ｂ）を択一的に開口部（４００）を通して内部に収容する本体（４０）を有する。取付部材（４）は、本体（４０）の内部に設けられ、第１の照明用ポール（８Ａ）の柱頭部（８０Ａ）に下から支持される第１支持部（４１）を有する。取付部材（４）は、本体（４０）の内部に設けられ、第２の照明用ポール（８Ｂ）の柱頭部（８０Ｂ）に下から支持される第２支持部（４２）を更に有する。第１支持部（４１）は、複数種類の第１の照明用ポール（８Ａ）の各々に択一的に支持されるように構成される。第２支持部（４２）は、複数種類の第２の照明用ポール（８Ｂ）の各々に択一的に支持されるように構成される。第２支持部（４２）は、本体（４０）の内壁に設けられて第２の照明用ポール（８Ｂ）の角部（８１）がはまる少なくとも一つの凹部（４３）を有する。
【００５１】
第１の態様に係る照明器具（１）は、円筒形の第１の照明用ポール（８Ａ）と角筒形の第２の照明用ポール（８Ｂ）のいずれにも取り付けることができる。
【００５２】
第２の態様に係る照明器具（１）は、第１の態様との組合せにより実現され得る。第２の態様に係る照明器具（１）において、本体（４０）の内部の径は、開口部（４００）から上方に向かうに連れて連続的に縮小していることが好ましい。第１支持部（４１）及び第２支持部（４２）は本体（４０）と一体に形成されていることが好ましい。
【００５３】
第２の態様に係る照明器具（１）は、本体（４０）の内部の径を連続的に縮小するので、本体（４０）の内径が段階的に縮小する場合に比べて、取付部材（４）が取り付け可能な照明用ポール（８）の種類を増やすことができる。
【００５４】
第３の態様に係る照明器具（１）は、第１の態様との組合せにより実現され得る。第３の態様に係る照明器具（１）において、本体（４０）の内部の径は、開口部（４００）から上方に向かうに連れて段階的に縮小していることが好ましい。第１支持部（４１）及び第２支持部（４２）は本体（４０）と一体に形成されていることが好ましい。
【００５５】
第３の態様に係る照明器具（１）は、取付部材（４）に取り付け可能な照明用ポール（８）の種類を増やすことができる。
【００５６】
第４の態様に係る照明器具（１）は、第１〜第３の態様のいずれか一つとの組合せにより実現され得る。第４の態様に係る照明器具（１）において、第２支持部（４２）は、凹部（４３）を複数有することが好ましい。複数の凹部（４３）のそれぞれに第２の照明用ポール（８Ｂ）の複数の角部が一つずつはまることが好ましい。
【００５７】
第４の態様に係る照明器具（１）は、凹部（４３）の数を増やすに連れて、第２の照明用ポール（８Ｂ）に対する取付部材（４）の取付け向きを細かく調整することができる。
【００５８】
第５の態様に係る照明器具（１）は、第１〜第４の態様のいずれか一つとの組合せにより実現され得る。第５の態様に係る照明器具（１）において、開口部（４００）から見た凹部（４３）の開き角（θ１）が角部（８１）の角度（θ２）よりも大きいことが好ましい。
【００５９】
第５の態様に係る照明器具（１）は、開口部（４００）から見た凹部（４３）の開き角（θ１）を柱頭部（８０Ｂ）の角部（８１）の角度（θ２）よりも大きくすれば、柱頭部（８０Ｂ）の角部（８１）を凹部（４３）に確実にはめることができる。
【００６０】
第６の態様に係る照明器具（１）は、第１〜第５の態様のいずれか一つとの組合せにより実現され得る。第６の態様に係る照明器具（１）において、開口部（４００）から見た本体の内部の形状がだ円形であることが好ましい。
【００６１】
第６の態様に係る照明器具（１）は、開口部（４００）から見た本体（４０）の内部の形状がだ円形であれば、本体（４０）の内側面の形状が円形である場合と比較して、本体（４０）の内側面に設けられる凹部（４３）の削減を図ることができる。その結果、第６の態様に係る照明器具（１）は、取付部材（４）の本体（４０）の製造コストの低下を図ることができる。
【符号の説明】
【００６２】
１  照明器具
２  ＬＥＤユニット（光源）
３  器具本体
４  取付部材
８  照明用ポール
８Ａ  第１の照明用ポール
８Ｂ  第２の照明用ポール
４０  本体
４１  第１支持部
４２  第２支持部
４３  凹部
８０；８０Ａ；８０Ｂ  柱頭部
８１  角部
４００  開口部
θ１  開き角
θ２  角部の角度
【図１】
2019192505.tif 000003
【図２】
2019192505.tif 000004
【図３】
2019192505.tif 000005
【図４】
2019192505.tif 000006
【図５】
2019192505.tif 000007
【図６】
2019192505.tif 000008
【図７】
2019192505.tif 000009
【図８】
2019192505.tif 000010